(57)【要約】【課題】媒体の処理を行うための複数種類のツールを有する処理装置を備える媒体処理システムにおいて、処理装置のオペレータが煩雑な作業をしなくても、複数種類のツールの中から所定のツールを選択して媒体に対する処理を行うことが可能な媒体処理システムを提供する。【解決手段】媒体処理システム１は、複数種類のツール１０〜１５を有する処理装置４と、処理装置４で媒体の処理を行うための処理用データを作成するデータ作成部２０とを備えている。データ作成部２０では、画像編集ソフトウエアで描かれた切断用等の線である処理線の線種および線幅と、処理装置４で使用されるツール１０〜１５とが対応付けられている。処理用データには、処理線の線種線幅データが含まれ、線種線幅データには、処理装置４で使用されるツール１０〜１５のデータが含まれている。処理装置４は、線種線幅データに基づいてツール１０〜１５を選択して媒体に対する処理を行う。【選択図】図１
2020003922.tif 000002
【特許請求の範囲】
【請求項１】
媒体を切断するため、または、前記媒体を押圧して前記媒体に罫線を形成するため、あるいは、前記媒体にケガキ線を描くための媒体処理用の複数種類のツールを有する処理装置と、前記処理装置で前記媒体に対して処理を行うための処理用データを作成するためのデータ作成部とを備え、
前記処理用データには、前記処理装置で前記媒体に対して処理を行うために画像編集ソフトウエアで描かれた切断用、押圧用またはケガキ用の線である処理線の位置のデータである位置データと、前記処理線の線種および線幅のデータである線種線幅データとが含まれ、
前記データ作成部では、前記処理線の線種および線幅と、前記処理装置で使用される前記ツールとが対応付けられており、
前記線種線幅データには、前記処理装置で使用される前記ツールのデータであるツールデータが含まれ、
前記データ作成部は、前記処理装置に前記処理用データを送り、
前記処理装置は、前記線種線幅データに基づいて前記処理装置で使用される前記ツールを選択し、選択した前記ツールによって前記処理用データに基づいて前記媒体に対する処理を行うことを特徴とする媒体処理システム。
【請求項２】
前記処置装置は、前記ツールとして、前記媒体に対して所定方向に移動して前記媒体を切断するカッターを備え、
前記カッターの移動方向における前記カッターの中心であるカッター中心と、前記媒体と前記カッターとが接触する位置であるカッター接触位置とが前記カッターの移動方向においてずれており、
前記データ作成部では、前記処理線の線種および線幅と、前記カッターの移動方向における前記カッター中心と前記カッター接触位置とのずれ量であるオフセット量とが対応付けられており、
前記線種線幅データには、前記オフセット量のデータであるオフセットデータが含まれ、
前記処理装置は、前記線種線幅データに基づいて、前記媒体を切断することを特徴とする請求項１記載の媒体処理システム。
【請求項３】
前記データ作成部では、前記処理線の線種および線幅と、前記媒体の素材および前記媒体の厚さの少なくともいずれか一方とが対応付けられており、
前記線種線幅データには、前記媒体の素材および前記媒体の厚さの少なくともいずれか一方のデータである媒体データが含まれ、
前記処理装置は、前記線種線幅データに基づいて、前記媒体に対する処理を行うことを特徴とする請求項１または２記載の媒体処理システム。
【請求項４】
前記データ作成部では、前記処理線の線種および線幅と、前記ツールの移動速度および前記ツールと前記媒体との接触圧とが対応付けられており、
前記線種線幅データには、前記ツールの移動速度のデータである速度データと、前記ツールと前記媒体との接触圧のデータである接触圧データとが含まれ、
前記処理装置は、前記線種線幅データに基づいて、所定の速度で前記ツールを移動させるとともに、所定の接触圧で前記ツールと前記媒体とを接触させることを特徴とする請求項１から３のいずれかに記載の媒体処理システム。
【請求項５】
前記媒体に印刷を行うプリンタを備え、
前記データ作成部は、前記プリンタで前記媒体に印刷を行うための印刷用データを作成するとともに、前記プリンタに前記印刷用データを送り、
前記プリンタは、前記印刷用データに基づいて、前記媒体の印刷を行うことを特徴とする請求項１から４のいずれかに記載の媒体処理システム。
【発明の詳細な説明】
【技術分野】
【０００１】
本発明は、媒体を切断したり、媒体を押圧して媒体に罫線を形成したりするための媒体処理システムに関する。
【背景技術】
【０００２】
従来、カッティングヘッド付きのインクジェットプリンタが知られている（たとえば、特許文献１参照）。特許文献１に記載のインクジェットプリンタは、用紙に印刷を行うインクジェットヘッドと、用紙を切断するカッティングヘッドとを備えている。このインクジェットプリンタには、外部に設けられたパーソナルコンピュータ（パソコン）から印刷データおよびカットデータが入力される。インクジェットヘッドは、入力された印刷データに基づいて用紙に印刷を行い、カッティングヘッドは、入力されたカットデータに基づいて印刷後の用紙を切断する。また、パソコンには、画像編集ソフトウエアがインストールされており、画像編集ソフトウエアを用いて所望の画像が作成され、作成された画像に基づいて印刷データおよびカットデータが生成される。
【０００３】
また、従来、シート状の被加工媒体を切断等するためのカッティングプロッタが知られている（たとえば、特許文献２参照）。特許文献２に記載のカッティングプロッタは、被加工媒体が固定される加工テーブルと、加工テーブルに対して左右方向へ移動するＸ軸キャリッジと、Ｘ軸キャリッジに対して前後方向に移動するＹ軸キャリッジと、Ｙ軸キャリッジに取り付けられるカッティングヘッドとを備えている。カッティングヘッドは、３個のホルダ装着部を備えており、ホルダ装着部には、カッターホルダが装着されている。カッターホルダには、カッター等のツールが取り付けられている。カッティングヘッドは、カッターホルダに取り付けられたツールを昇降させる。
【０００４】
特許文献２に記載のカッティングプロッタでは、たとえば、３個のホルダ装着部のうちの１個のホルダ装着部に、偏芯カッターまたは描画ツールが取り付けられたカッターホルダが装着される。また、このカッティングプロッタでは、たとえば、残りの２個のホルダ装着部のうちの１個のホルダ装着部に、タンジェンシャルカッターまたは罫引ローラが取り付けられたカッターホルダが装着され、残りの１個のホルダ装着部に、タンジェンシャルカッターまたはレシプロカッターが取り付けられたカッターホルダが装着される。すなわち、特許文献２に記載のカッティングプロッタでは、３種類のツールがカッティングヘッドに装着されている。カッティングプロッタのオペレータは、被加工媒体の切断等を行う際に、カッティングヘッドに装着された３種類のツールの中から所定のツールを選択している。
【先行技術文献】
【特許文献】
【０００５】
【特許文献１】特開２００５−３３５１４９号公報
【特許文献２】特開２００９−５０９７９号公報
【発明の概要】
【発明が解決しようとする課題】
【０００６】
本願発明者は、画像編集ソフトウエアを用いて作成された画像に基づいて生成されるデータを、特許文献２に記載のカッティングプロッタのように複数種類のツールを有するカッティングプロッタ等の処理装置にパソコンから送るとともに、パソコンから送られたデータに基づいて、媒体の切断等の処理を処理装置に行わせることを検討している。この場合、媒体の種類や処理の内容等に応じて、処理装置のオペレータが処理装置において複数種類のツールの中から所定のツールを選択しなければならないため、媒体を処理する際の、処理装置のオペレータの作業が煩雑になる。
【０００７】
そこで、本発明の課題は、媒体の切断等の処理を行うための複数種類のツールを有する処理装置を備える媒体処理システムにおいて、処理装置のオペレータが煩雑な作業をしなくても、複数種類のツールの中から所定のツールを選択して媒体に対する処理を行うことが可能な媒体処理システムを提供することにある。
【課題を解決するための手段】
【０００８】
上記の課題を解決するため、本発明の媒体処理システムは、媒体を切断するため、または、媒体を押圧して媒体に罫線を形成するため、あるいは、媒体にケガキ線を描くための媒体処理用の複数種類のツールを有する処理装置と、処理装置で媒体に対して処理を行うための処理用データを作成するためのデータ作成部とを備え、処理用データには、処理装置で媒体に対して処理を行うために画像編集ソフトウエアで描かれた切断用、押圧用またはケガキ用の線である処理線の位置のデータである位置データと、処理線の線種および線幅のデータである線種線幅データとが含まれ、データ作成部では、処理線の線種および線幅と、処理装置で使用されるツールとが対応付けられており、線種線幅データには、処理装置で使用されるツールのデータであるツールデータが含まれ、データ作成部は、処理装置に処理用データを送り、処理装置は、線種線幅データに基づいて処理装置で使用されるツールを選択し、選択したツールによって処理用データに基づいて媒体に対する処理を行うことを特徴とする。
【０００９】
本発明の媒体処理システムでは、データ作成部で作成される処理用データに、画像編集ソフトウエアで描かれた切断用、押圧用またはケガキ用の線である処理線の線種および線幅のデータである線種線幅データが含まれている。また、本発明では、データ作成部において、処理線の線種および線幅と、処理装置で使用されるツールとが対応付けられており、線種線幅データには、処理装置で使用されるツールのデータであるツールデータが含まれている。さらに、本発明では、処理装置は、データ作成部から送られてきた処理用データに含まれる線種線幅データに基づいて処理装置で使用されるツールを選択し、選択したツールによって媒体に対する処理を行っている。そのため、本発明では、処理装置のオペレータが煩雑な作業をしなくても、複数種類のツールの中から所定のツールを選択して媒体に対する処理を行うことが可能になる。
【００１０】
本発明において、処置装置は、ツールとして、媒体に対して所定方向に移動して媒体を切断するカッターを備え、カッターの移動方向におけるカッターの中心であるカッター中心と、媒体とカッターとが接触する位置であるカッター接触位置とがカッターの移動方向においてずれており、データ作成部では、処理線の線種および線幅と、カッターの移動方向におけるカッター中心とカッター接触位置とのずれ量であるオフセット量とが対応付けられており、線種線幅データには、オフセット量のデータであるオフセットデータが含まれ、処理装置は、線種線幅データに基づいて、媒体を切断することが好ましい。このように構成すると、処理装置のオペレータがオフセット量の設定を行わなくても、媒体を適切に切断することが可能になる。
【００１１】
本発明において、データ作成部では、処理線の線種および線幅と、媒体の素材および媒体の厚さの少なくともいずれか一方とが対応付けられており、線種線幅データには、媒体の素材および媒体の厚さの少なくともいずれか一方のデータである媒体データが含まれ、処理装置は、線種線幅データに基づいて、媒体に対する処理を行うことが好ましい。このように構成すると、処理装置のオペレータが媒体の素材や厚さに応じた設定を行わなくても、媒体を適切に処理することが可能になる。
【００１２】
本発明において、データ作成部では、処理線の線種および線幅と、ツールの移動速度およびツールと媒体との接触圧とが対応付けられており、線種線幅データには、ツールの移動速度のデータである速度データと、ツールと媒体との接触圧のデータである接触圧データとが含まれ、処理装置は、線種線幅データに基づいて、所定の速度でツールを移動させるとともに、所定の接触圧でツールと媒体とを接触させることが好ましい。このように構成すると、処理装置のオペレータがツールの移動速度およびツールと媒体との接触圧を設定しなくても、媒体を適切に処理することが可能になる。
【００１３】
本発明において、媒体処理システムは、たとえば、媒体に印刷を行うプリンタを備え、データ作成部は、プリンタで媒体に印刷を行うための印刷用データを作成するとともに、プリンタに印刷用データを送り、プリンタは、印刷用データに基づいて、媒体の印刷を行う。
【発明の効果】
【００１４】
以上のように、本発明では、媒体の切断等の処理を行うための複数種類のツールを有する処理装置を備える媒体処理システムにおいて、処理装置のオペレータが煩雑な作業をしなくても、複数種類のツールの中から所定のツールを選択して媒体に対する処理を行うことが可能になる。
【図面の簡単な説明】
【００１５】
【図１】本発明の実施の形態にかかる媒体処理システムの構成を説明するためのブロック図である。
【図２】図１に示すディスプレイの表示の一例を示す図である。
【発明を実施するための形態】
【００１６】
以下、図面を参照しながら、本発明の実施の形態を説明する。
【００１７】
（媒体処理システムの構成）
図１は、本発明の実施の形態にかかる媒体処理システム１の構成を説明するためのブロック図である。図２は、図１に示すディスプレイ６の表示の一例を示す図である。
【００１８】
本形態の媒体処理システム１は、媒体に印刷を行うプリンタ３と、媒体に対して所定の処理を行う処理装置４と、プリンタ３および処理装置４が接続されるパーソナルコンピュータ（ＰＣ）５と、ＰＣ５に接続される液晶ディスプレイ等のディスプレイ６とを備えている。媒体は、印刷用紙、段ボール、布帛、または、樹脂板（樹脂製の平板）等である。プリンタ３は、インクジェットプリンタであり、インク滴を吐出するインクジェットヘッドを備えている。
【００１９】
処理装置４は、プリンタ３で印刷された印刷後の媒体を切断等するためのカッティングプロッタである。処理装置４は、媒体を切断するため、または、媒体を押圧して媒体に罫線（折れ線、折り筋）を形成するため、あるいは、媒体にケガキ線を描くための媒体処理用の複数種類のツール１０〜１５を備えている。たとえば、処理装置４は、６種類のツール１０〜１５の中から選択される３種類のツールを備えている。なお、処理装置４は、２種類のツールを備えていても良いし、４種類以上のツールを備えていても良い。
【００２０】
本形態のツール１０〜１２は、所定方向に移動して媒体を切断するカッターである。たとえば、ツール１０は、刃先がカッターの中心からずれている偏芯カッターであり、ツール１１は、カッター刃が上下動するレシプロカッターであり、ツール１２は、カッター刃の回転駆動源を有するタンジェンシャルカッターである。すなわち、処理装置４は、３種類のカッターを備えている。以下の説明では、ツール１０〜１２を「カッター１０〜１２」と表記することがある。本形態では、カッター１０〜１２の移動方向におけるカッター１０〜１２の中心であるカッター中心と、カッター１０〜１２と媒体とが接触する位置であるカッター接触位置とがカッター１０〜１２の移動方向においてずれている。
【００２１】
また、本形態のツール１３は、上下方向を回転の軸方向にして回転して媒体を切断するエンドミルであり、ツール１４は、段ボール等の厚手の媒体を押圧して媒体に罫線を形成する罫引ローラであり、ツール１５は、布帛等の媒体にケガキ線を描くペンである。また、以下の説明では、ツール１３を「エンドミル１３」と表記することがあり、ツール１４を「罫引ローラ１４」と表記することがあり、ツール１５を「ペン１５」と表記することがある。
【００２２】
処理装置４は、媒体が載置されて固定されるテーブルと、ツール１０〜１５を保持するツールヘッドと、ツールヘッドを移動可能に保持するヘッド保持部材とを備えている。ヘッド保持部材は、テーブルに対して前後方向へ移動可能となっている。ツールヘッドは、ヘッド保持部材に対して左右方向へ移動可能となっている。ツール１０〜１５のそれぞれは、ツールヘッドに対して昇降可能となっている。
【００２３】
また、処理装置４は、テーブルに対してヘッド保持部材を移動させる移動機構と、ヘッド保持部材に対してツールヘッドを移動させる移動機構とを備えている。また、処理装置４は、ツールヘッドに対してツール１０〜１５のそれぞれを個別に昇降させる昇降機構を備えている。ツール１０〜１５のそれぞれは、ツール１０〜１５が媒体に接触する接触位置と、ツール１０〜１５が媒体に接触しないように上方へ退避する退避位置との間で昇降可能となっている。
【００２４】
ＰＣ５は、ＲＯＭ、ＲＡＭおよびハードディスクドライブ等の記憶手段やＣＰＵ等の演算手段等の各種のハードウエアを備えている。ＰＣ５には、画像を作成編集するためのソフトウエア（画像編集ソフトウエア）と、プリンタ３を制御するためのソフトウエア（プリンタドライバ）と、処理装置４を制御するためのソフトウエア（処理装置用ソフトウエア）とがインストールされている。
【００２５】
また、ＰＣ５は、プリンタ３で媒体に印刷を行うための印刷用データと処理装置４で媒体に対して処理を行うための処理用データを作成するためのデータ作成部２０を備えている。データ作成部２０は、画像編集ソフトウエアと、このソフトウエアのプログラムを実行するＰＣ５のハードウエアと、プリンタドライバと、プリンタドライバのプログラムを実行するＰＣ５のハードウエアと、処理装置用ソフトウエアと、このソフトウエアのプログラムを実行するＰＣ５のハードウエアとによって構成されている。
【００２６】
媒体処理システム１では、プリンタ３で媒体に印刷を行うために、ユーザは、画像編集ソフトウエアを用いてプリンタ３で印刷される画像の輪郭線ＢＬ等を描く。また、媒体処理システム１では、処理装置４で媒体に対して処理を行うために（具体的には、処理装置４で切断処理、押圧処理またはケガキ処理を行うために）、ユーザは、画像編集ソフトウエアを用いて切断用、押圧用またはケガキ用の線である処理線ＰＬを描く。たとえば、ユーザは、図２（Ａ）に示すように、切断用の線である処理線ＰＬを描いたり、図２（Ｂ）に示すように、押圧用の線である処理線ＰＬを描いたりする。図２に示すように、輪郭線ＢＬおよび処理線ＰＬは、ディスプレイ６に表示される。ユーザは、ディスプレイ６の表示を確認しながら、輪郭線ＢＬおよび処理線ＰＬ等を描く。
【００２７】
印刷用データは、輪郭線ＢＬ等に基づいてデータ作成部２０で作成される。データ作成部２０は、印刷用データをプリンタ３に送る。プリンタ３は、印刷用データに基づいて媒体の印刷を行う。
【００２８】
処理用データは、処理線ＰＬに基づいてデータ作成部２０で作成される。処理用データには、画像編集ソフトウエアで描かれた処理線ＰＬの位置のデータである位置データと、処理線ＰＬの線種（すなわち、実線、破線、点線、一点鎖線または二点鎖線等の線種）および線幅（線の太さ）のデータである線種線幅データとが含まれている。
【００２９】
また、データ作成部２０では、処理線ＰＬの線種および線幅と、処理装置４で使用されるツール１０〜１５とが対応付けられている。また、上述のように、カッター１０〜１２の移動方向におけるカッター１０〜１２の中心であるカッター中心と、カッター１０〜１２と媒体とが接触する位置であるカッター接触位置とは、カッター１０〜１２の移動方向においてずれており、データ作成部２０では、処理線ＰＬの線種および線幅と、カッター１０〜１２の移動方向におけるカッター中心とカッター接触位置とのずれ量であるオフセット量とが対応付けられている。さらに、データ作成部２０では、処理線ＰＬの線種および線幅と、媒体の素材、媒体の厚さ、ツール１０〜１５の移動速度およびツール１０〜１５と媒体との接触圧とが対応付けられている。
【００３０】
具体的には、処理装置４で使用されるツール１０〜１５、オフセット量、媒体の素材、媒体の厚さ、ツール１０〜１５の移動速度、および、ツール１０〜１５と媒体との接触圧に応じた処理線ＰＬの線種および線幅が、ディスプレイ６に表示される所定の設定画面上でユーザによって予め設定されており、予め設定された内容がデータ作成部２０に記憶されている。あるいは、画像編集ソフトウエアで描かれた処理線ＰＬの線種および線幅に対して、処理装置４で使用されるツール１０〜１５、オフセット量、媒体の素材、媒体の厚さ、ツール１０〜１５の移動速度、および、ツール１０〜１５と媒体との接触圧が、ディスプレイ６に表示される所定の設定画面上でユーザによって設定されて、データ作成部２０に記憶されている。
【００３１】
たとえば、データ作成部２０では、所定の長さの線分が所定の間隔で配列された破線であって所定の線幅を有する処理線ＰＬと、カッター１０、カッター１０のオフセット量、カッター１０で切断される媒体の素材、厚さ、カッター１０の移動速度、および、カッター１０と媒体との接触圧とが対応付けられている。同様に、データ作成部２０では、所定の線種、線幅の処理線ＰＬと、カッター１１、カッター１１のオフセット量、カッター１１で切断される媒体の素材、厚さ、カッター１１の移動速度、および、カッター１１と媒体との接触圧とが対応付けられ、所定の線種、線幅の処理線ＰＬと、カッター１２、カッター１２のオフセット量、カッター１２で切断される媒体の素材、厚さ、カッター１２の移動速度、および、カッター１２と媒体との接触圧とが対応付けられている。
【００３２】
また、データ作成部２０では、所定の線種、線幅の処理線ＰＬと、エンドミル１３、エンドミル１３で切断される媒体の素材、厚さ、エンドミル１３の移動速度、および、エンドミル１３と媒体との接触圧とが対応付けられ、所定の線種、線幅の処理線ＰＬと、罫引ローラ１４、罫引ローラ１４で押圧される媒体の素材、厚さ、罫引ローラ１４の移動速度、および、罫引ローラ１４と媒体との接触圧とが対応付けられ、所定の線種、線幅の処理線ＰＬと、ペン１５、ペン１５によってケガキ線が描かれる媒体の素材、厚さ、ペン１５の移動速度、および、ペン１５と媒体との接触圧とが対応付けられている。
【００３３】
データ作成部２０で作成される処理用データの中の線種線幅データには、処理装置４で使用されるツール１０〜１５のデータであるツールデータと、オフセット量のデータであるオフセットデータと、媒体の素材、厚さのデータである媒体データと、ツール１０〜１５の移動速度のデータである速度データと、ツール１０〜１５と媒体との接触圧のデータである接触圧データとが含まれている。ツールデータ、オフセットデータ、媒体データ、速度データおよび接触圧データは、データ作成部２０で対応付けられている対応関係に基づいて生成される。
【００３４】
データ作成部２０は、処理装置４に処理用データを送る。処理装置４は、線種線幅データに基づいて処理装置４で使用されるツール１０〜１５を選択する。具体的には、処理装置４は、線種線幅データに含まれるツールデータに基づいて複数種類のツール１０〜１５の中から処理装置４で使用されるツール１０〜１５を選択する。また、処理装置４は、選択したツール１０〜１５によって処理用データに基づいて（すなわち、位置データおよび線種線幅データに基づいて）媒体に対する処理を行う。
【００３５】
具体的には、処理装置４は、たとえば、線種線幅データに基づいてカッター１０〜１２またはエンドミル１３を選択し、カッター１０〜１２またはエンドミル１３によって処理線ＰＬに沿って媒体を切断する。また、処理装置４は、たとえば、線種線幅データに基づいて罫引ローラ１４を選択し、罫引ローラ１４によって処理線ＰＬに沿って媒体を押圧して媒体に罫線を形成する。また、処理装置４は、たとえば、線種線幅データに基づいてペン１５を選択し、ペン１５によって処理線ＰＬに沿って媒体にケガキ線を描く。また、処理装置４は、位置データおよび線種線幅データに基づいて、所定の範囲でツール１０〜１５を媒体に接触させるとともに、線種線幅データに基づいて、所定の速度でツール１０〜１５を移動させるとともに、所定の接触圧でツール１０〜１５と媒体とを接触させる。
【００３６】
なお、本形態では、プリンタ３での印刷が終了すると、たとえば、処理装置４のオペレータが印刷後の媒体をプリンタ３から処理装置４まで運んで処理装置４のテーブルにセットする。処理装置４のテーブルに印刷後の媒体がセットされた後に、オペレータが所定の操作を行うと、処理装置４が媒体に対して切断等の処理を行う。
【００３７】
（本形態の主な効果）
以上説明したように、本形態では、データ作成部２０で作成される処理用データに、処理線ＰＬの線種および線幅のデータである線種線幅データが含まれている。また、本形態では、データ作成部２０において、処理線ＰＬの線種および線幅と、処理装置４で使用されるツール１０〜１５とが対応付けられており、線種線幅データには、処理装置４で使用されるツールのデータであるツールデータが含まれている。さらに、本形態では、処理装置４は、データ作成部２０から送られてきた線種線幅データに基づいて処理装置４で使用されるツール１０〜１５を選択し、選択したツール１０〜１５によって媒体に対する処理を行っている。そのため、本形態では、処理装置４のオペレータが煩雑な作業をしなくても、複数種類のツール１０〜１５の中から所定のツール１０〜１５を選択して媒体に対する処理を行うことが可能になる。
【００３８】
本形態では、データ作成部２０において、処理線ＰＬの線種および線幅と、カッター１０〜１２の移動方向におけるカッター中心とカッター接触位置とのずれ量であるオフセット量とが対応付けられており、線種線幅データに、オフセット量のデータであるオフセットデータが含まれている。また、本形態では、処理装置４は、線種線幅データに基づいて、媒体を切断している。そのため、本形態では、処理装置４のオペレータがオフセット量の設定を行わなくても、媒体を適切に切断することが可能になる。
【００３９】
また、本形態では、データ作成部２０において、処理線ＰＬの線種および線幅と、媒体の素材、媒体の厚さ、ツール１０〜１５の移動速度およびツール１０〜１５と媒体との接触圧とが対応付けられており、線種線幅データに、媒体の素材、厚さのデータである媒体データと、ツール１０〜１５の移動速度のデータである速度データと、ツール１０〜１５と媒体との接触圧のデータである接触圧データとが含まれている。また、本形態では、処理装置４は、線種線幅データに基づいて、媒体に対する処理を行っている。そのため、本形態では、処理装置４のオペレータが、媒体の素材や厚さに応じた設定、ツール１０〜１５の移動速度の設定およびツール１０〜１５と媒体との接触圧の設定を行わなくても、媒体を適切に処理することが可能になる。
【００４０】
（他の実施の形態）
上述した形態は、本発明の好適な形態の一例ではあるが、これに限定されるものではなく本発明の要旨を変更しない範囲において種々変形実施が可能である。
【００４１】
上述した形態において、データ作成部２０で、処理線ＰＬの線種および線幅とオフセット量とが対応付けられておらず、線種線幅データにオフセットデータが含まれていなくても良い。この場合には、たとえば、カッター１０〜１２のそれぞれに対応するオフセット量が処理装置４側で予め設定されている。あるいは、この場合には、処理装置４で媒体を切断する前に、処理装置４のオペレータがオフセット量を設定する。
【００４２】
上述した形態において、データ作成部２０で、媒体の素材、媒体の厚さ、ツール１０〜１５の移動速度およびツール１０〜１５と媒体との接触圧の少なくともいずれか１つと、処理線ＰＬの線種および線幅とが対応付けられておらず、線種線幅データに、媒体データ、速度データおよび接触圧データの少なくともいずれか１つが含まれていなくても良い。この場合には、たとえば、処理線ＰＬの線種および線幅と対応付けられていない、媒体の素材、媒体の厚さ、ツール１０〜１５の移動速度およびツール１０〜１５と媒体との接触圧の少なくともいずれか１つが、ツール１０〜１５のそれぞれに対応するように処理装置４側で予め設定されている。あるいは、この場合には、処理装置４で媒体を処理する前に、処理装置４のオペレータが、処理線ＰＬの線種および線幅と対応付けられていない、媒体の素材、媒体の厚さ、ツール１０〜１５の移動速度およびツール１０〜１５と媒体との接触圧の少なくともいずれか１つを設定する。
【００４３】
上述した形態において、処理装置４は、カッティングプロッタ以外の装置であっても良い。また、上述した形態において、プリンタ３は、インクジェットプリンタ以外のプリンタであっても良い。さらに、上述した形態において、処理装置４は、プリンタ３で印刷される前の媒体に対して所定の処理を行っても良い。また、上述した形態において、媒体処理システム１は、プリンタ３を備えていなくても良い。
【符号の説明】
【００４４】
１  媒体処理システム
３  プリンタ
４  処理装置
１０〜１２  ツール、カッター
１３〜１５  ツール
２０  データ作成部
ＰＬ  処理線
【図１】
2020003922.tif 000003
【図２】
2020003922.tif 000004